(57)【要約】【課題】      チタンを形成材とした健康装飾品に、マイナスイオン発生鉱石を確実に装着する。【解決手段】  マイナスイオン発生鉱石の粉末やマイナスイオン発生鉱石を練りこんだ粘土をネジビスの軸に施した凹型の穴に埋め込み、チタンを形成材とした装飾品のネジ穴ににねじ込んで装着する。【選択図】図１
0003129716.tif 000002
【実用新案登録請求の範囲】
【請求項１】
マイナスイオン発生鉱石の粉末やマイナスイオン発生鉱石を練りこんだ粘土を、ネジビスの軸に施した凹型の穴に埋め込み、チタンを形成材とした装飾品のネジ穴ににねじ込んで装着する。
【請求項２】
請求項１におけるマイナスイオン発生鉱石の粉末やマイナスイオン発生鉱石を練りこんだ粘土を、チタンを形成材とした装飾品のビス穴に埋め込み、軸の長さをネジ穴の深さより短くして蓋の機能をもたせたネジビスをネジ穴にねじ込んで装着する。
【請求項３】
請求項１におけるネジビスの素材に、マイナスイオン発生鉱石を混合したもの。
【請求項４】
請求項１におけるネジビスのネジ山の代わりに凸山を一つないしは複数箇所設け、チタン形成物の受け穴に凹型溝を一つないしは複数箇所設けることで、互いの凹凸部分にて嵌め込み機能をもたせたもの。
【考案の詳細な説明】
【技術分野】
【０００１】  本考案は、チタン素材の装飾品に装着する、マイナスイオン発生鉱石の粉末やマイナスイオン発生鉱石を練りこんだ粘土を埋め込むためのネジビスに関するものである。
【背景技術】
【０００２】  ラジウム混合樹脂の埋め込み型チタン製健康装飾品がある。
【特許文献１】  登録実用新案第３１２２８７２号公報
【考案の開示】
【考案が解決しようとする課題】
【０００３】  チタン素材の健康装飾品にラジウムを合体する方法としてラジウム混合樹脂を埋め込む考案はあるが、ネジ式のビスによるマイナスイオン発生鉱石の粉末やマイナスイオン発生鉱石を練りこんだ粘土の埋め込む方式は確認されない。
【課題を解決するための手段】
【０００４】  マイナスイオン発生鉱石の粉末やマイナスイオン発生鉱石を練りこんだ粘土を、ネジビスの軸に施した凹型の穴に埋め込み、チタンを形成材とした装飾品のネジ穴ににねじ込んで装着する。
【考案の効果】
【０００５】  接着剤による装着と異なり、マイナスイオン発生鉱石の粉末やマイナスイオン発生鉱石を練りこんだ粘土を、ネジ式のビスで装飾品のネジ穴にねじ込むことにより確実に装着される。
【考案の実施するための最良の形態】
【０００６】  ラジウム・トルマリン・ゲルマニウム・ブラックシリカなどのマイナスイオン発生鉱石の粉末や同じマイナスイオン発生鉱石を練りこんだ粘土を、ネジビスの軸に施した凹型の穴に埋め込み、チタンを形成材とした装飾品のネジ穴にねじ込んで装着する。
【実施例１】
【０００７】  以下、図１及び図２及び図３に従って実施例を説明する。
ネジ山（２）を持った埋め込みネジビス（１）の軸部分にマイナスイオン発生鉱石の収納用凹部分（３）を施し、マイナスイオン発生鉱石の粉末やマイナスイオン発生鉱石を練りこんだ粘土（６）を埋め込み、装飾品の本体となるチタン形成物（４）のネジ穴（５）にねじ込み装着する。ネジビスの頭部を円錐形にした円錐型ネジビス（７）にすることにより、その凸部分が装飾品本体の使用時に肌に接触して刺激となり血行の促進がはかれる。
【実施例２】
【０００８】  以下、図４に従って実施例を説明する。
マイナスイオン発生鉱石の粉末やマイナスイオン発生鉱石を練りこんだ粘土（６）をネジ穴（５）の底に敷き、ネジ山（２）を持った蓋型ネジビス（８）にてねじ込み蓋をすることにより、簡便で確実にマイナスイオン発生鉱石を装着することができる。また、ネジビスの頭部を円錐形にすることにより、その凸部分が装飾品本体の使用時に肌に接触して刺激となり血行の促進がはかれる。
【実施例３】
【０００９】  以下、図５に従って実施例を説明する。
ネジ山（２）を持ち、ネジビスの素材にマイナスイオン発生鉱石を混合したマイナスイオン発生鉱石の混合素材のネジビス（９）を、チタン形成物（４）のネジ穴（５）にねじ込み装着する。これにより、マイナスイオン発生鉱石の粉末やマイナスイオン発生鉱石を練りこんだ粘土（６）が不要となり、かつ簡単な構造がえられる。また、ネジビスの頭部を円錐形にすることにより、その凸部分が装飾品本体の使用時に肌に接触して刺激となり血行の促進がはかれる。
【実施例４】
【００１０】  以下、図６に従って実施例を説明する。
ネジ山の代わりに凸山（１３）を一つ、ないしは複数箇所の凸部分を設けた凸付き埋め込みネジビス（１０）を、チタン形成物（４）の受け穴（１２）に一つ、ないしは複数箇所の凹型溝（１１）を施し、互いの凹凸部分にて嵌め込み機能をもたせる。また、ネジビスの頭部を円錐形にすることにより、その凸部分が装飾品本体の使用時に肌に接触して刺激となり血行の促進がはかれる。
【図面の簡単な説明】
【００１１】
【図１】  本考案のネジ山（２）を持った埋め込みネジビス（１）を、チタン形成物（４）のネジ穴（５）にねじ込む直前の断面図である。
【図２】  本考案のネジ山（２）を持った埋め込みネジビス（１）を、チタン形成物（４）のネジ穴（５）にねじ込んだ断面図である。
【図３】  ネジ山（２）を持った円錐型ネジビス（７）を、チタン形成物（４）のネジ穴（５）にねじ込んだ断面図である。
【図４】  ネジ山（２）を持った蓋型ネジビス（８）を、チタン形成物（４）のネジ穴（５）にねじ込んだ断面図である。
【図５】  ネジ山（２）を持ったマイナスイオン発生鉱石の混合素材のネジビス（９）を、チタン形成物（４）のネジ穴（５）にねじ込んだ断面図である。
【図６】  凸付き埋め込みネジビス（１０）を、凹型溝（１１）を施したチタン形成物（４）の受け穴（５）に嵌め込んだ断面図である。
【符号の説明】
【００１２】１  埋め込みネジビス
２  ネジ山
３  マイナスイオン発生鉱石の収納用凹部分
４  チタン形成物
５  ネジ穴
６  マイナスイオン発生鉱石の粉末やマイナスイオン発生鉱石を練り込んだ粘土
７  円錐型ネジビス
８  蓋型ネジビス
９  マイナスイオン発生鉱石の混合素材のネジビス
１０  凸付き埋め込みネジビス
１１  凹型溝
１２  受け穴
１３  凸山
【図１】
0003129716.tif 000003
【図２】
0003129716.tif 000004
【図３】
0003129716.tif 000005
【図４】
0003129716.tif 000006
【図５】
0003129716.tif 000007
【図６】
0003129716.tif 000008
【手続補正書】
【提出日】平成18年11月10日(2006.11.10)
【手続補正１】
【補正対象書類名】実用新案登録請求の範囲
【補正対象項目名】全文
【補正方法】変更
【補正の内容】
【実用新案登録請求の範囲】
【請求項１】
マイナスイオン発生鉱石の粉末やマイナスイオン発生鉱石を練りこんだ粘土を、ネジビスの軸に施した凹型の穴に埋め込み、チタンを形成材とした装飾品のネジ穴ににねじ込んで装着したネジビス。
【請求項２】
請求項１におけるマイナスイオン発生鉱石の粉末やマイナスイオン発生鉱石を練りこんだ粘土を、チタンを形成材とした装飾品のビス穴に埋め込み、軸の長さをネジ穴の深さより短くして蓋の機能をもたせネジ穴にねじ込んで装着したネジビス。
【請求項３】
請求項１におけるネジビスの素材に、マイナスイオン発生鉱石を混合したネジビス。
【請求項４】
請求項１におけるネジビスのネジ山の代わりに凸山を一つないしは複数箇所設け、チタン形成物の受け穴に凹型溝を一つないしは複数箇所設けることで、互いの凹凸部分にて嵌め込み機能をもたせたネジビス。